(57)【特許請求の範囲】
【請求項１】
表示部、通信部及びソーシャルネットワーキング共有ハードウェアボタンを有する携帯型電子機器に適用可能な動作方法であって、
前記ソーシャルネットワーキング共有ハードウェアボタンがトリガされたことに応答して、前記表示部に表示されるコンテンツに基づき複数のユーザ共有インターフェースの中から選択されたユーザ共有インターフェースを表示し、前記通信部により前記ユーザ共有インターフェースを介してソーシャルネットワーキングのウェブページ上にユーザ共有コンテンツをポストするステップ
を有する動作方法。
【請求項２】
前記ユーザ共有コンテンツをポストするステップは、
前記表示部に表示されるコンテンツが画像ファイル又は映像ファイルである場合に、前記ソーシャルネットワーキングのユーザウェブページ上に該画像ファイル又は該映像ファイルをポストするステップ
を有する、請求項１に記載の動作方法。
【請求項３】
前記ユーザ共有コンテンツをポストするステップは、
前記表示部に表示されるコンテンツがウェブページである場合に、前記ソーシャルネットワーキングのユーザウェブページ上に該ウェブページをポストするステップ
を有する、請求項１に記載の動作方法。
【請求項４】
前記ユーザ共有コンテンツをポストするステップは、
前記表示部に表示されるコンテンツがウェブページである場合に、前記ソーシャルネットワーキングのユーザウェブページ上に該ウェブページのウェブリンクをポストするステップ
を有する、請求項１に記載の動作方法。
【請求項５】
前記ユーザ共有コンテンツをポストするステップは、
前記表示部に表示されるコンテンツがホームスクリーンである場合に、前記ソーシャルネットワーキングのユーザウェブページ上に前記ユーザ共有コンテンツをポストするステップ
を有する、請求項１に記載の動作方法。
【請求項６】
前記ユーザ共有コンテンツをポストするステップは、
前記表示部に表示されるコンテンツが前記ホームスクリーンであり、前記ソーシャルネットワーキング共有ハードウェアボタンが短押しによってトリガされる場合に、前記ソーシャルネットワーキングの前記ユーザウェブページ上に前記ユーザ共有コンテンツをポストするステップと、
前記表示部に表示されるコンテンツが前記ホームスクリーンであり、前記ソーシャルネットワーキング共有ハードウェアボタンが長押しによってトリガされる場合に、前記ソーシャルネットワーキングの前記ユーザウェブページ上に前記ユーザ共有コンテンツとして現在の位置情報をポストするステップと
を有する、請求項５に記載の動作方法。
【請求項７】
前記ユーザ共有コンテンツをポストするステップは、
前記表示部に表示されるコンテンツがフレンドコンタクト情報である場合に、該フレンドコンタクト情報に関連する前記ソーシャルネットワーキングのフレンドウェブページ上に前記ユーザ共有コンテンツをポストするステップ
を有する、請求項１に記載の動作方法。
【請求項８】
前記ユーザ共有コンテンツをポストするステップは、
前記表示部に表示されるコンテンツがイベント情報である場合に、該イベント情報に関連する前記ソーシャルネットワーキングのイベントウェブページ上に前記ユーザ共有コンテンツをポストするステップ
を有する、請求項１に記載の動作方法。
【請求項９】
前記ユーザ共有コンテンツをポストするステップは、
前記表示部に表示されるコンテンツがグループコンタクト情報である場合に、該グループコンタクト情報に関連する前記ソーシャルネットワーキングのグループウェブページ上に前記ユーザ共有コンテンツをポストするステップ
を有する、請求項１に記載の動作方法。
【請求項１０】
携帯型電子機器であって、
表示部と、
通信部と、
ソーシャルネットワーキング共有ハードウェアボタンと、
前記表示部、前記ソーシャルネットワーキング共有ハードウェアボタン及び前記通信部に結合され、前記ソーシャルネットワーキング共有ハードウェアボタンがトリガされたことに応答して、当該携帯型電子機器を、前記表示部に表示されるコンテンツに基づき複数のユーザ共有インターフェースの中から選択されたユーザ共有インターフェースを表示し、前記通信部により前記ユーザ共有インターフェースを介してソーシャルネットワーキングのウェブページ上にユーザ共有コンテンツをポストするよう制御する処理回路と
を有する携帯型電子機器。
【請求項１１】
前記表示部に表示されるコンテンツが画像ファイル又は映像ファイルである場合に、前記処理回路は、当該携帯型電子機器を、前記ソーシャルネットワーキングのユーザウェブページ上に該画像ファイル又は該映像ファイルをポストするよう制御する、
請求項１０に記載の携帯型電子機器。
【請求項１２】
前記表示部に表示されるコンテンツがウェブページである場合に、前記処理回路は、当該携帯型電子機器を、前記ソーシャルネットワーキングのユーザウェブページ上に該ウェブページをポストするよう制御する、
請求項１０に記載の携帯型電子機器。
【請求項１３】
前記表示部に表示されるコンテンツがウェブページである場合に、前記処理回路は、当該携帯型電子機器を、前記ソーシャルネットワーキングのユーザウェブページ上に該ウェブページのウェブリンクをポストするよう制御する、
請求項１０に記載の携帯型電子機器。
【請求項１４】
前記表示部に表示されるコンテンツがホームスクリーンである場合に、前記処理回路は、当該携帯型電子機器を、前記ソーシャルネットワーキングのユーザウェブページ上に前記ユーザ共有コンテンツをポストするよう制御する、
請求項１０に記載の携帯型電子機器。
【請求項１５】
前記表示部に表示されるコンテンツが前記ホームスクリーンであり、前記ソーシャルネットワーキング共有ハードウェアボタンが短押しによってトリガされる場合に、前記処理回路は、当該携帯型電子機器を、前記ソーシャルネットワーキングの前記ユーザウェブページ上に前記ユーザ共有コンテンツをポストするよう制御し、
前記表示部に表示されるコンテンツが前記ホームスクリーンであり、前記ソーシャルネットワーキング共有ハードウェアボタンが長押しによってトリガされる場合に、前記処理回路は、当該携帯型電子機器を、前記ソーシャルネットワーキングの前記ユーザウェブページ上に前記ユーザ共有コンテンツとして現在の位置情報をポストするよう制御する、
請求項１４に記載の携帯型電子機器。
【請求項１６】
前記表示部に表示されるコンテンツがフレンドコンタクト情報である場合に、前記処理回路は、当該携帯型電子機器を、該フレンドコンタクト情報に関連する前記ソーシャルネットワーキングのフレンドウェブページ上に前記ユーザ共有コンテンツをポストするよう制御する、
請求項１０に記載の携帯型電子機器。
【請求項１７】
前記表示部に表示されるコンテンツがイベント情報である場合に、前記処理回路は、当該携帯型電子機器を、該イベント情報に関連する前記ソーシャルネットワーキングのイベントウェブページ上に前記ユーザ共有コンテンツをポストするよう制御する、
請求項１０に記載の携帯型電子機器。
【請求項１８】
前記表示部に表示されるコンテンツがグループコンタクト情報である場合に、前記処理回路は、当該携帯型電子機器を、該グループコンタクト情報に関連する前記ソーシャルネットワーキングのグループウェブページ上に前記ユーザ共有コンテンツをポストするよう制御する、
請求項１０に記載の携帯型電子機器。
【請求項１９】
表示部、通信部及びソーシャルネットワーキング共有ハードウェアボタンを有する携帯型電子機器にロードされる場合に、前記携帯型電子機器に、
前記ソーシャルネットワーキング共有ハードウェアボタンがトリガされたことに応答して、前記表示部に表示されるコンテンツに基づき複数のユーザ共有インターフェースの中から選択されたユーザ共有インターフェースを表示し、前記通信部により前記ユーザ共有インターフェースを介してソーシャルネットワーキングのウェブページ上にユーザ共有コンテンツをポストするステップ
を実行させるためのコンピュータ実行可能なプログラムを記憶するコンピュータ可読媒体。
【発明の詳細な説明】
【技術分野】
【０００１】
本開示は、概して、携帯型電子機器及び該携帯型電子機器に適用可能な動作方法に関する。
【背景技術】
【０００２】
ＦＡＣＥＢＯＯＫ（登録商標）、ＭＹＳＰＡＣＥ（登録商標）、ＴＷＩＴＴＥＲ（登録商標）等のソーシャルネットワーキング・サービスは、近年、人気が高まっている。これらのサービスは、個人情報の交換のための公共の場を提供することによって、ユーザが互いとの接触を維持して知り合うことを可能にするので、ユーザにとって魅力的である。また、ソーシャルメッセージ・サービスも、それらが、ユーザが現在何をしているのか又は現在ユーザがどこにいるのかを含むリアルタイムの個人情報を交換するための便利且つ簡単な手段を提供する点で、非常に人気である。
【０００３】
現在、携帯電話機は、特に若い世代にとって、中心となる通信装置である。同時に、これらのユーザの間の所望の通信形態が進化しつつある。ソーシャルネットワーキング・サービスは、現在、通信ウェブ内の人々を、世界中の数百万という人々とつなぐ。しかし、ソーシャルネットワーキング・サービスは、基本的にはコンピュータ・ベースのためのものであるが、消費者は、それらのパーソナルネットワークを携帯電話機等の彼らが好む通信ツールに友好的に拡張したいと望むことがある。
【０００４】
デジタルカメラがコンピュータに接続されている場合に、ユーザがカメラのボタンの１つを押すと、写真又は映像がインターネット・ネットワーク上のサイトに共有される。例えば、http://www.imaginginsider.com/?p=104453（非特許文献１）を参照されたい。
【先行技術文献】
【非特許文献】
【０００５】
【非特許文献１】“Kodak  Makes  Sharing  Pictures  and  Videos  One-Button  Simple”、［online］、平成２２年１月６日、イメージング  インサイダー（Imaging  Insider）、［平成２３年７月６日検索］、インターネット（URL:http://www.imaginginsider.com/?p=104453）
【発明の概要】
【発明が解決しようとする課題】
【０００６】
本発明は、表示部、通信部及びソーシャルネットワーキング共有ハードウェアボタンを有する携帯型電子機器、そのような携帯型電子機器に適用可能な動作方法、及びコンピュータ可読媒体を提供する。
【課題を解決するための手段】
【０００７】
携帯型電子機器及び該携帯型電子機器に適用可能な動作方法の実施形態が開示される。ソーシャルネットワーキング共有ハードウェアボタンが短押しされる場合、ユーザは、ソーシャルネットワーキングのユーザ自身のウェブページ、フレンドウェブページ、イベントウェブページ又はグループ／ページウェブページ上にポスト／共有することができる。さらに、ソーシャルネットワーキング共有ハードウェアボタンが長押しされる場合、ユーザは、ソーシャルネットワーキングのユーザ自身のウェブページ上に自身の現在の位置情報をポスト／共有することができる。
【０００８】
開示の一例は、表示部、通信部及びソーシャルネットワーキング共有ハードウェアボタンを有する携帯型電子機器に適用可能な動作方法を提供する。当該動作方法は、前記ソーシャルネットワーキング共有ハードウェアボタンがトリガされたことに応答して、前記通信部を介して、前記表示部に表示されるコンテンツに基づいてソーシャルネットワーキング上にユーザ共有コンテンツをポストするステップを有する。
【０００９】
さらに、開示の他の例は、携帯型電子機器であって、表示部と、通信部と、ソーシャルネットワーキング共有ハードウェアボタンと、前記表示部、前記ソーシャルネットワーキング共有ハードウェアボタン及び前記通信部に結合され、前記ソーシャルネットワーキング共有ハードウェアボタンがトリガされたことに応答して、当該携帯型電子機器を、前記通信部を介して、前記表示部に表示されるコンテンツに基づいてソーシャルネットワーキング上にユーザ共有コンテンツをポストするよう制御する処理回路とを有する携帯型電子機器を提供する。
【００１０】
開示の更なる他の例は、コンピュータ実行可能なプログラムを記憶するコンピュータ可読媒体を提供する。前記コンピュータ実行可能なプログラムが、表示部、通信部及びソーシャルネットワーキング共有ハードウェアボタンを有する携帯型電子機器にロードされる場合に、前記携帯型電子機器は、前記ソーシャルネットワーキング共有ハードウェアボタンがトリガされたことに応答して、前記通信部を介して、前記表示部に表示されるコンテンツに基づいてソーシャルネットワーキング上にユーザ共有コンテンツをポストするステップを実行する。
【００１１】
上記記載及び以下の詳細な説明はいずれも例示にすぎず、本発明の技術的範囲を限定するものではないことに留意されたい。
【発明の効果】
【００１２】
本発明の実施形態によれば、表示部、通信部及びソーシャルネットワーキング共有ハードウェアボタンを有する携帯型電子機器、そのような携帯型電子機器に適用可能な動作方法、及びコンピュータ可読媒体を提供することが可能となる。
【図面の簡単な説明】
【００１３】
【図１Ａ】本開示の実施例に係る携帯型電子機器を示す。
【図１Ｂ】本開示の実施例に係る携帯型電子機器を示す。
【図２Ａ】ファイルを見ているときにソーシャルネットワーキング共有ハードウェアボタンを短押しすることによってソーシャルネットワーキングのユーザパーソナルウェブページ上でファイルを共有することを示す。
【図２Ｂ】ファイルを見ているときにソーシャルネットワーキング共有ハードウェアボタンを短押しすることによってソーシャルネットワーキングのユーザパーソナルウェブページ上でファイルを共有することを示す。
【図２Ｃ】ファイルを見ているときにソーシャルネットワーキング共有ハードウェアボタンを短押しすることによってソーシャルネットワーキングのユーザパーソナルウェブページ上でファイルを共有することを示す。
【図３Ａ】ウェブページを見ているときにソーシャルネットワーキング共有ハードウェアボタンを短押しすることによってソーシャルネットワーキングのユーザパーソナルウェブページ上に読み出されるウェブページを共有することを示す。
【図３Ｂ】ウェブページを見ているときにソーシャルネットワーキング共有ハードウェアボタンを短押しすることによってソーシャルネットワーキングのユーザパーソナルウェブページ上に読み出されるウェブページを共有することを示す。
【図４Ａ】音楽を聴いているときにソーシャルネットワーキング共有ハードウェアボタンを短押しすることによってソーシャルネットワーキングのユーザパーソナルウェブページ上で音楽を共有することを示す。
【図４Ｂ】音楽を聴いているときにソーシャルネットワーキング共有ハードウェアボタンを短押しすることによってソーシャルネットワーキングのユーザパーソナルウェブページ上で音楽を共有することを示す。
【図５Ａ】映像ファイルを見ているときにソーシャルネットワーキング共有ハードウェアボタンを短押しすることによってソーシャルネットワーキングのユーザパーソナルウェブページ上で映像ファイルを共有することを示す。
【図５Ｂ】映像ファイルを見ているときにソーシャルネットワーキング共有ハードウェアボタンを短押しすることによってソーシャルネットワーキングのユーザパーソナルウェブページ上で映像ファイルを共有することを示す。
【図６Ａ】ソーシャルネットワーキング共有ハードウェアボタンを長押しすることによってソーシャルネットワーキングのユーザパーソナルウェブページ上にユーザの現在地情報を共有することを示す。
【図６Ｂ】ソーシャルネットワーキング共有ハードウェアボタンを長押しすることによってソーシャルネットワーキングのユーザパーソナルウェブページ上にユーザの現在地情報を共有することを示す。
【図６Ｃ】ソーシャルネットワーキング共有ハードウェアボタンを長押しすることによってソーシャルネットワーキングのユーザパーソナルウェブページ上にユーザの現在地情報を共有することを示す。
【図７Ａ】フレンドコンタクト情報を見ているときにソーシャルネットワーキング共有ハードウェアボタンを短押しすることによってソーシャルネットワーキングのフレンドパーソナルウェブページ上にポストすることを示す。
【図７Ｂ】フレンドコンタクト情報を見ているときにソーシャルネットワーキング共有ハードウェアボタンを短押しすることによってソーシャルネットワーキングのフレンドパーソナルウェブページ上にポストすることを示す。
【図８Ａ】イベント情報を見ているときにソーシャルネットワーキング共有ハードウェアボタンを短押しすることによってソーシャルネットワーキングのイベント情報ウェブページ上にポストすること示す。
【図８Ｂ】イベント情報を見ているときにソーシャルネットワーキング共有ハードウェアボタンを短押しすることによってソーシャルネットワーキングのイベント情報ウェブページ上にポストすること示す。
【図９Ａ】グループ／ページコンタクト情報を見ているときにソーシャルネットワーキング共有ハードウェアボタンを短押しすることによってソーシャルネットワーキングのグループ／ページコンタクト情報ウェブページ上にポストすることを示す。
【図９Ｂ】グループ／ページコンタクト情報を見ているときにソーシャルネットワーキング共有ハードウェアボタンを短押しすることによってソーシャルネットワーキングのグループ／ページコンタクト情報ウェブページ上にポストすることを示す。
【図１０Ａ】ホームスクリーンにおいてソーシャルネットワーキング共有ハードウェアボタンを短押しすることによってソーシャルネットワーキングのユーザ自身のパーソナルページ上にポストすることを示す。
【図１０Ｂ】ホームスクリーンにおいてソーシャルネットワーキング共有ハードウェアボタンを短押しすることによってソーシャルネットワーキングのユーザ自身のパーソナルページ上にポストすることを示す。
【発明を実施するための形態】
【００１４】
図１及び図１Ｂを参照して、本開示の実施例に係る携帯型電子機器が示されている。携帯型電子機器１００は、例えば、携帯電話機、ノートブック型コンピュータ、デジタルカメラ、デジタルビデオカメラ、電子辞書装置、ビデオゲーム機、電子ブック、ＰＤＡ（パーソナルデジタルアシスタント）等であるが、それらに限られない。携帯型電子機器１００は、表示部１１０と、通信部１２０と、処理回路１３０と、ソーシャルネットワーキング共有ハードウェアボタン１４０とを有する。
【００１５】
表示部１１０は、例えば、タッチパネル（例えば、抵抗式／容量式タッチパネル）、マルチタッチディスプレイユニット（例えば、抵抗性／容量式マルチタッチディスプレイユニット）、及び非タッチ型パネル等である。表示部１１０は、画像を表示するために、ＡＭＯＬＥＤ（アクティブマトリクス型有機発光ダイオード）パネルやＬＣＤ（液晶ディスプレイ）パネルによって形成されてよい。ソーシャルネットワーキング共有ハードウェアボタン１４０は、専用のハードウェアボタンである。ユーザがソーシャルネットワーキング共有ハードウェアボタン１４０を押す場合に、様々な状況に基づいて、携帯型電子機器１００は、対応するユーザ共有コンテンツをソーシャルネットワーキング上にポストすることができる。
【００１６】
通信部１２０は、例えば、モバイル通信機能及びネットワークリンケージ機能（例えば、ＷｉＦｉ（Wireless  Fidelity）プロトコル、３Ｇ（第３世代）プロトコル、ＷＡＰ（Wireless  Application  Protocol）、ＧＰＲＳ（General  packet  radio  service）プロトコル、ＷｉＭＡＸ（Worldwide  Interoperability  for  Microwave  Access）プロトコル、ＨＳＤＰＡ（High-Speed  Downlink  Packet  Access又は３．５Ｇと呼ばれる。）プロトコル、ＨＳＵＰＡ（High-Speed  Uplink  Packet  Access又は３．７５Ｇと呼ばれる。）プロトコル等）のような通信機能を提供するためのものである。
【００１７】
ここで、ファイルを見ているときにソーシャルネットワーキング共有ハードウェアボタンを短押しすることによってソーシャルネットワーキングのユーザパーソナルウェブページ上にファイルを共有することについて説明する。図２Ａ〜２Ｃを参照されたい。図２Ａに示されるように、画像２１０が表示部１１０に表示される。ユーザがこの画像２１０をソーシャルネットワーキング上で共有したいと望む場合、ユーザはソーシャルネットワーキング共有ハードウェアボタン１４０を短押ししてよい。処理回路１３０の制御下で、携帯型電子機器１００は、図２Ｂに示されるように、ソーシャルネットワーキングのユーザパーソナルウェブページ２２０上に画像２１０をポストしてよい。さらに、ユーザは、この画像２１０にキャプション／タグを付加してよい。さらに、ユーザは、ユーザパーソナルウェブページ２３０上で、この画像２１０をどのアルバムに記憶すべきかを選択し、且つ／あるいは、この画像２１０のプライバシーレベルを設定する。従って、ソーシャルネットワーキング共有ハードウェアボタン１４０を短押しすることによって、ユーザは、ソーシャルネットワーキングのユーザパーソナルウェブページ上で、表示部１１０に現在表示されている画像ファイルを共有することができる。
【００１８】
代替的に、ユーザが、ユーザによって現在読まれ／見られ／聴かれており携帯型電子機器１００に記憶されている何らかのファイル（例えば、音声ファイル、映像ファイル又は文書ファイル）を共有したいと望む場合、ユーザはソーシャルネットワーキング共有ハードウェアボタン１４０を短押ししてよい。ソーシャルネットワーキング共有ハードウェアボタン１４０が短押しされた後、処理回路１３０の制御下で、携帯型電子機器１００は、ユーザが共有したいと望むファイルをソーシャルネットワーキングのユーザパーソナルウェブページ上にポストしてよい。従って、ソーシャルネットワーキング共有ハードウェアボタン１４０を短押しすることによって、ユーザは、携帯型電子機器１００に記憶されている何らかの現在読んでいる／見ている／聴いているファイルをソーシャルネットワーキングのユーザパーソナルウェブページ上で共有することができる。
【００１９】
ここで、ウェブページを見ているときにソーシャルネットワーキング共有ハードウェアボタンを短押しすることによってソーシャルネットワーキングのユーザパーソナルウェブページ上にウェブページを共有することについて説明する。図３Ａ〜３Ｂを参照されたい。図３Ａに示されるように、ユーザは、表示部１１０に表示されているウェブページ３１０を読んでいる。ユーザがこのウェブページ３１０を共有したと望む場合、ユーザはソーシャルネットワーキング共有ハードウェアボタン１４０を短押ししてよい。処理回路１３０の制御下で、携帯型電子機器１００は、図３Ｂに示されるように、ウェブページ３１０のリンクをソーシャルネットワーキングのユーザパーソナルウェブページ３２０上にポストしてよい。さらに、ユーザは、ユーザパーソナルウェブページ３２０上でコメントを付加するよう打ち出してよい。さらに、ユーザは、ウェブページ３１０の内容の一部又は全てをユーザパーソナルウェブページ３２０上にポストすべきかどうかを決定してよい。従って、ソーシャルネットワーキング共有ハードウェアボタン１４０を短押しすることによって、ユーザは、読まれているウェブページのリンクをソーシャルネットワーキングのユーザパーソナルウェブページ上で共有してよい。
【００２０】
さらに、ユーザが共有／ポストしたいと望むウェブページは、インターネット・ウェブからの何らかのニュースページ、及び／又はインターネット・ウェブからの何らかのウェブページ、及び／又はいずれかのインターネット・ウェブサイトによって与えられる何らかのアプリケーション（例えば、ユーザの携帯型電子機器にウェブページを能動的に供給する、ＦＡＣＥＢＯＯＫ（登録商標）によって提供される供給アプリケーション）によって携帯型電子機器１００に供給される何らかのウェブページであってよい。
【００２１】
ここで、音楽を聴いているときにソーシャルネットワーキング共有ハードウェアボタンを短押しすることによってソーシャルネットワーキングのユーザパーソナルウェブページ上に音楽を共有することについて説明する。図４Ａ〜４Ｂを参照されたい。図４Ａに示されるように、ユーザは音楽４１０を聴いている。ユーザがこの聴いている音楽４１０を共有したいと望む場合、ユーザはソーシャルネットワーキング共有ハードウェアボタン１４０を短押ししてよい。処理回路１３０の制御下で、携帯型電子機器１００は、図４Ｂに示されるように、音楽４１０のリンクをソーシャルネットワーキングのユーザパーソナルウェブページ４２０上にポストしてよい。実施例では、アプリケーションプログラムは、例えば、音楽４１０のリンクをフェッチするよう音楽ウェブページにリンクをはることによって、聴いている音楽４１０のリンクを特定してよい。従って、ソーシャルネットワーキング共有ハードウェアボタン１４０を短押しすることによって、ユーザは、聴いている音楽のリンクをソーシャルネットワーキングのユーザパーソナルウェブページ上で共有することができる。さらに、ユーザは、ソーシャルネットワーキングのユーザパーソナルウェブページ４２０上にキャプションを付加してよい。さらに、ユーザは、ユーザが共有したいと望む音楽を簡単に記載／紹介するウェブページのリンクをユーザパーソナルウェブページ上に共有してよい。
【００２２】
さらに、ユーザが電子ブックを共有したいと望む場合は、ソーシャルネットワーキング共有ハードウェアボタン１４０を短押しすることによって、ユーザは、ユーザが共有したいと望む電子ブックを簡単に記載／紹介するウェブページのリンクをユーザパーソナルウェブページ上にポストしてよい。
【００２３】
ここで、映像ファイルを見ているときにソーシャルネットワーキング共有ハードウェアボタンを短押しすることによってソーシャルネットワーキングのユーザパーソナルウェブページ上に映像ファイルを共有することについて説明する。図５Ａ〜５Ｂを参照されたい。図５Ａに示されるように、ユーザは、インターネットから提供される映像ファイル５１０を見ている。ユーザが、この見ている映像ファイル５１０を共有したいと望む場合、ユーザは、ソーシャルネットワーキング共有ハードウェアボタン１４０を短押ししてよい。処理回路１３０の制御下で、携帯型電子機器１００は、図５Ｂに示されるように、映像ファイル５１０のリンクをソーシャルネットワーキングのユーザパーソナルウェブページ５２０上にポストしてよい。従って、ソーシャルネットワーキング共有ハードウェアボタン１４０を短押しすることによって、ユーザは、見ている映像ファイルをソーシャルネットワーキングのユーザパーソナルウェブページ上で共有することができる。さらに、ユーザは、ソーシャルネットワーキングのユーザパーソナルウェブページ５２０上にキャプションを付加してよい。
【００２４】
ここで、ソーシャルネットワーキング共有ハードウェアボタン１４０を長押しすることによってソーシャルネットワーキングのユーザパーソナルウェブページ上にユーザの現在位置情報を共有することについて説明する。図６Ａ〜６Ｃを参照されたい。ホームスクリーンにおいて、ユーザがソーシャルネットワーキング共有ハードウェアボタン１４０を押し続ける（すなわち、長押し）場合、ユーザは、自身の現在位置情報をソーシャルネットワーキングのユーザパーソナルウェブページ上に共有してよい。ホームスクリーンにおいて、ユーザがソーシャルネットワーキング共有ハードウェアボタン１４０を押し続ける（すなわち、長押し）場合、プレイスピッカー（place  picker）がソーシャルネットワーキングのユーザパーソナルウェブページ６１０に示される。これは、図６Ａに示されるように、建物の名称、店名等の近隣の位置情報を示してよい。次いで、ユーザは、図６Ｂに示されるように、ソーシャルネットワーキングのユーザパーソナルウェブページ６２０上で、チェックインすべき近隣位置情報の１つを選択してよい。ユーザが自身の好みの建物又は店を選択した後、ユーザは、図６Ｃに示されるように、ソーシャルネットワーキングのユーザパーソナルウェブページ６３０上でチェックインしてよい。そのようにして、ユーザは、ホームスクリーンにおいてソーシャルネットワーキング共有ハードウェアボタンを長押しする場合に、ソーシャルネットワーキングのユーザパーソナルウェブページ上で、自身がどこに訪問したかをチェックインして友人と共有してよい。
【００２５】
ここで、フレンドコンタクト情報を見ているときにソーシャルネットワーキング共有ハードウェアボタンを短押しすることによってソーシャルネットワーキングのフレンドパーソナルウェブページ上にポストすることについて説明する。図７Ａ〜７Ｂを参照されたい。ユーザは、図７Ａに示されるように、友人のフレンドコンタクト情報７１０を見ている。フレンドコンタクト情報７１０は、例えば、携帯型電子機器１００におけるコンタクトリスクアプリケーションに格納される。ユーザが自身の友人と何かを共有したいと望む場合、ユーザは、ソーシャルネットワーキング共有ハードウェアボタン１４０を短押ししてよい。処理回路１３０の制御下で、携帯型電子機器１００は、図７Ｂに示されるように、ソーシャルネットワーキングのフレンドパーソナルウェブページ７２０にリンクしてよく、ユーザがソーシャルネットワーキングのフレンドパーソナルウェブページ７２０上にポスト／共有することを可能にする。
【００２６】
ここで、イベント情報を見ているときにソーシャルネットワーキング共有ハードウェアボタンを短押しすることによってソーシャルネットワーキングのイベント情報ウェブページ上にポストすることについて説明する。図８Ａ〜８Ｂを参照されたい。ユーザは、図８Ａに示されるように、イベント情報８１０を見ている。イベント情報８１０は、例えば、携帯型電子機器１００におけるスケジュールアプリケーションに格納される。ユーザがソーシャルネットワーキングのイベント情報ウェブページ８２０（イベント情報８１０に関連する。）上で何かを共有したいと望む場合、ユーザはソーシャルネットワーキング共有ハードウェアボタン１４０を短押ししてよい。処理回路１３０の制御下で、携帯型電子機器１００は、図８Ｂに示されるように、ユーザがソーシャルネットワーキングのイベント情報ウェブページ８２０上に何かをポスト／共有することを可能にしてよい。
【００２７】
ここで、グループ／ページコンタクト情報を見ているときにソーシャルネットワーキング共有ハードウェアボタンを短押しすることによってソーシャルネットワーキングのグループ／ページコンタクト情報ウェブページ上にポストすることについて説明する。図９Ａ〜９Ｂを参照されたい。ユーザは、図９Ａに示されるように、グループ／ページコンタクト情報９１０を見ている。グループ／ページコンタクト情報９１０は、例えば、携帯型電子機器１００におけるグループ／ページ供給アプリケーションに格納される。ユーザがソーシャルネットワーキングのグループ／ページコンタクト情報ウェブページ９２０（このグループ／ページコンタクト情報９１０に関連する。）上に何かをポストしたいと望む場合、ユーザはソーシャルネットワーキング共有ハードウェアボタン１４０を短押ししてよい。処理回路１３０の制御下で、携帯型電子機器１００は、図９Ｂに示されるように、ユーザがソーシャルネットワーキングのグループ／ページコンタクト情報ウェブページ９２０上に何かをポスト／共有することを可能にしてよい。
【００２８】
ここで、ホームスクリーンにおいてソーシャルネットワーキング共有ハードウェアボタンを短押しすることによってソーシャルネットワーキングのユーザ自身のパーソナルウェブページ上にポストすることについて説明する、図１０Ａ〜１０Ｂを参照されたい。図１０Ａに示されるように、ホームスクリーン１０１０において、ユーザがソーシャルネットワーキングの自身のパーソナルウェブページ上にポストしたいと望む場合、ユーザはソーシャルネットワーキング共有ハードウェアボタン１４０を短押ししてよい。処理回路１３０の制御下で、携帯型電子機器１００は、図１０Ｂに示されるように、ユーザがソーシャルネットワーキングのユーザ自身のパーソナルウェブページ１０２０上にポスト／共有することを可能にしてよい。
【００２９】
ホームスクリーンにおいて、ユーザがソーシャルネットワーキング共有ハードウェアボタン１４０を押し続ける（すなわち、長押し）場合、アプリケーションプログラム及び処理回路１３０の制御下で、ユーザは、ソーシャルネットワーキングのユーザパーソナルウェブページ上でチェックインする（すなわち、自身の現在位置情報を共有する）ことができる。他方で、ホームスクリーンにおいて、ユーザがソーシャルネットワーキング共有ハードウェアボタン１４０を短押しする場合、アプリケーションプログラム及び処理回路１３０の制御下で、ユーザは、ソーシャルネットワーキングのユーザパーソナルウェブページ上でジェネリックシェアをポスト／共有することができる。
【００３０】
さらに、一例において、ソーシャルネットワーキング共有ハードウェアボタン１４０が押された後、携帯型電子機器１００が未だソーシャルネットワーキングにリンクされていない場合は、携帯型電子機器１００は自動的にソーシャルネットワーキングにリンクしてよい。
【００３１】
当業者には明らかなように、本発明の技術的範囲を逸脱することなしに上記実施形態を変形することが可能である。従って、当然に、開示される実施形態は、具体的に記載されている例に限られず、特許請求の範囲で定義される技術的範囲内にあるあらゆる変形例を含むよう意図される。
【符号の説明】
【００３２】
１００  携帯型電子機器
１１０  表示部
１２０  通信部
１３０  処理回路
１４０  ソーシャルネットワーキング共有ハードウェアボタン
２１０  画像
２２０，２３０，３２０，４２０，５２０，６１０，６２０，６３０  ユーザパーソナルウェブページ
３１０  ウェブページ
４１０  音楽
５１０  映像ファイル
７１０，７２０  フレンドコンタクト情報
８１０  イベント情報
８２０  イベント情報ウェブページ
９１０  グループ／ページコンタクト情報
９２０  グループ／ページコンタクト情報ウェブページ
１０１０  ホームスクリーン
１０２０  ユーザ自身のパーソナルウェブページ
【図１Ａ】
0005331168.tif 000002
【図１Ｂ】
0005331168.tif 000003
【図２Ａ】
0005331168.tif 000004
【図２Ｂ】
0005331168.tif 000005
【図２Ｃ】
0005331168.tif 000006
【図３Ａ】
0005331168.tif 000007
【図３Ｂ】
0005331168.tif 000008
【図４Ａ】
0005331168.tif 000009
【図４Ｂ】
0005331168.tif 000010
【図５Ａ】
0005331168.tif 000011
【図５Ｂ】
0005331168.tif 000012
【図６Ａ】
0005331168.tif 000013
【図６Ｂ】
0005331168.tif 000014
【図６Ｃ】
0005331168.tif 000015
【図７Ａ】
0005331168.tif 000016
【図７Ｂ】
0005331168.tif 000017
【図８Ａ】
0005331168.tif 000018
【図８Ｂ】
0005331168.tif 000019
【図９Ａ】
0005331168.tif 000020
【図９Ｂ】
0005331168.tif 000021
【図１０Ａ】
0005331168.tif 000022
【図１０Ｂ】
0005331168.tif 000023